(57)【要約】【課題】構造体面に沿って起立して配置した植栽基盤に与えた水が、基盤の天端部の板材が妨げて、基盤に詰めた植栽土まで良好に流れ至るようにする。【解決手段】起立させて設置し、種子や苗などを植栽して起立面２に植物を生育させるための型抜き或いは射出成形した植栽基盤１であって、植栽基盤１は、起立させて植物を生育させる面となる方形の起立部２と、その起立部の四周から背面側に伸びる囲み板３とによって箱形に成形されている。四枚の囲み板３のうち、起立部２を起立させたとき、天端に位置する囲み板３に、孔または切欠き状の給水部５を設ける。給水部５は、植栽基盤１の起立部２の下方に左右に並んだ隣り合う植栽ポット４の上方に位置する。【選択図】図１
2010148393.tif 000002
【特許請求の範囲】
【請求項１】
起立させて設置し、種子や苗などを植栽して起立面に植物を生育させるための型抜き或いは射出成形した植栽基盤であって、
植栽基盤は、起立させて植物を生育させる面となる方形の起立部と、その起立部の四周から背面側に伸びる囲み板とによって箱形に成形されており、
前記四枚の囲み板のうち、起立部を起立させたとき、天端に位置する囲み板に、孔または切欠き状の給水部を設けてなる、
植栽基盤。
【請求項２】
前記した植栽基盤は、起立部に形成した孔若しくは凹部状であって、上下左右に並ぶ複数の植栽ポットを有しており、
前記した給水部は、その下にある左右に並ぶ各植栽ポットの、それぞれ上方に位置するよう形成され、
起立部を起立したとき一段目に位置する植栽ポットは、隣り合う植栽ポット同士が向き合う側に突出するとともに、外周方向に伸びる導水突片を備えていることを特徴とする、
請求項１記載の植栽基盤。
【請求項３】
前記した植栽基盤に形成した上下左右に並んだ複数の植栽ポットのうち、二段目以降の隣り合う植栽ポットの間であって、
当該植栽ポットの中心よりも上方には、導水突起を設けたことを特徴とする、
請求項１又は２記載の植栽基盤。
【請求項４】
請求項１乃至３の植栽基盤を使用して行う植栽方法であって、
起立させた植栽基盤の植栽ポット内、及び植栽基盤の背面側には、植栽土を詰め、
起立させた植栽基盤の天端の給水部から、水を植栽基盤背面側に流し与え、
植栽ポット内及び植栽土に流れ込ませて生育を促進することを特徴とする、
植栽基盤を使用した植栽方法。
【発明の詳細な説明】
【技術分野】
【０００１】
本発明は起立させて設置し、植栽土と種子や苗などを詰めて壁面の緑化などを行うための植栽基盤と、それを使用した植栽方法に関するものである。
【背景技術】
【０００２】
家屋、建築物、岸壁などの壁面や、塀、或いは斜面などの起立構造体面を緑化するために、構造体面に沿って植栽土を保持し、植物を生育させるために、型抜き成形した植栽基盤を起立させて構造体面上に配置し、これに植栽土と種子や苗を植栽して緑化を図ることが採用されている。
土が根に付着した苗などを収容可能な凹部を備えた植栽基盤として、特開２００５−１７６８２９号公報に記載されているような植栽基盤が開示されている。
【０００３】
上記した公報に記載された植栽基盤は、合成樹脂材料によって方形箱形に型抜き成形したものであるが、これを壁面に使用する場合は、植栽する面が起立するように配置して使用する。
植栽基盤は、その表面に、背面側に窪んだ植栽ポットと呼ばれる凹部を複数個有しており、このポットに植栽土と苗などを詰めるものである。
このような植栽基盤を使用する場合、水を与えるのは植栽基盤の上、つまりは起立した植栽基盤の天端の頭上に給水管などを配して、その給水管から給水を行うことが採用される。
【０００４】
前記したように、植栽基盤を起立させて使用するとき、前面に形成した植栽ポットの中のみならず、植栽基盤の背面側にも植栽土を詰めて使用する。
しかしながら、箱形に形成した植栽基盤を起立させたとき、その天端には前面の周囲から背面側に伸びる板材が位置することになる。
折角、前記したような基盤の頭上に給水管を配したとしても、天端の板材が水を透過できなければ、水は背面側の植栽土や、ポット内へ浸み込むことができない。
【特許文献１】特開２００５−１７６８２９号公報
【発明の開示】
【発明が解決しようとする課題】
【０００５】
解決しようとする課題は、構造体面に沿って起立して配置した植栽基盤に与えた水が、基盤の天端に位置する板材が妨げて、基盤に詰めた植栽土まで良好に流れ至らないことである。
【課題を解決するための手段】
【０００６】
本発明にかかる植栽基盤は、起立させて設置し、種子や苗などを植栽して起立面に植物を生育させるための型抜き或いは射出成形した植栽基盤であって、
植栽基盤は、起立させて植物を生育させる面となる方形の起立部と、その起立部の四周から背面側に伸びる囲み板とによって箱形に成形されており、
前記四枚の囲み板のうち、起立部を起立させたとき、天端に位置する囲み板に、孔または切欠き状の給水部を設けてなる。
本発明にかかる他の植生基盤は、起立部に形成した孔若しくは凹部状であって、上下左右に並ぶ複数の植栽ポットを有しており、
前記した給水部は、その下にある左右に並ぶ各植栽ポットの、それぞれ上方に位置するよう形成され、
起立部を起立したとき一段目に位置する植栽ポットは、隣り合う植栽ポット同士が向き合う側に突出するとともに、外周方向に伸びる導水突片を備えていることを特徴とする。
本発明にかかる他の植栽基盤は、前記した植栽基盤に形成した上下左右に並んだ複数の植栽ポットのうち、二段目以降の隣り合う植栽ポットの間であって、当該植栽ポットの中心よりも上方には、導水突起を設けたことを特徴とする。
また、この発明にかかる植栽基盤を使用した植栽方法は、
上記した植栽基盤を使用して行う植栽方法であって、
起立させた植栽基盤の植栽ポット内、及び植栽基盤の背面側には、植栽土を詰め、
起立させた植栽基盤の天端の給水部から、水を植栽基盤背面側に流し与え、
植栽ポット内及び植栽土に流れ込ませて生育を促進するものである。
【発明の効果】
【０００７】
本発明は以上のような構成を有し、以下の効果を得ることが可能である。
＜ａ＞箱形の植栽基盤の、起立したとき天端に位置する囲み板には、孔又は切欠き状の給水部を形成したため、給水管などから給水すれば、水は給水部を通り抜けて基盤の背面側に詰めた植栽土に流れ至って、良好な植物の生育を促進可能である。
＜ｂ＞給水部は、その下にある左右に並ぶ各植栽ポットの上方に位置するよう形成され、起立部を起立したとき一段目に位置する植栽ポットは、隣り合う植栽ポット同士が向き合う側に突出するとともに、外周方向に伸びる導水突片を備えていることで、給水部からの水は植栽ポット間の真下に流れ落ちる水と、導水突片によってポット側に導かれる水に分かれ、上方のポットとその下のポットへ偏りなく分配される。
＜ｃ＞上下左右に並んだ複数の植栽ポットのうち、二段目以降の隣り合う植栽ポットの間であって、当該植栽ポットの中心よりも上方に導水突起を設けることにより、上方から成られ落ちてきた水を左右の植栽ポット側に振り分け、偏りなく植栽ポット内及び植栽土全体に良好に水を行き渡らせ、植物の生育を図ることができる。
＜ｄ＞植栽基盤を、紙や生分解性樹脂によって成形することにより、経年変化によって基盤は植栽土に分解されることになり、植物のより大きな生育を妨げることがない。
【実施例１】
【０００８】
図において１は、本発明にかかる植栽基盤である。
＜１＞植栽基盤
植栽基盤１は、再生紙によって製造したもので、紙をプレスして型抜き成形したものである。
また、合成樹脂繊維の不織布を使用して型抜き成形してもよい。
その他、植栽基盤１は、合成樹脂を射出成形して製造することも可能であるが、特に生分解性の樹脂を採用することが好適である。
植栽基盤１は、方形の起立部２と、その起立部２の四周縁からほぼ直角に突出して起立部２を囲む四つの囲み板３とによって、箱形に成形されている。
植栽基盤１の起立部２は、植栽基盤１を起立させて設置したときに、壁面のように上下方向に起立するもので、囲み板３は、その起立部２の四周縁から、起立部２に対しほぼ直角に背面方向へ突出することになる。
【０００９】
＜２＞給水部
植栽基盤１の起立部２を起立させたとき、その天端部に位置する囲み板３の一部を、背面側の側辺から切り欠いて、給水部５となっている。
実施例では、切欠き状の給水部５が左右に離隔して３ケ形成されている。
その他、給水部５としては、くり抜いた複数個の孔も採用できる。
給水部５は、複数個の孔を二列以上に並べることも出来る。
【００１０】
＜３＞植栽ポット
植栽ポット４は、起立部２表面をくり抜いた孔、若しくは背面側へほぼ栽頭円錐形状に突き出た凹部状に成形されている。
実施例では、植栽ポット４は栽頭円錐形の周壁６と底部７とによって凹設されている。
植栽ポット４の底部７には、中心に孔８と、それから四方に伸びるスリット９が形成されている。
また、起立部２には、植栽ポット４が左右に三個並び、そしてそれが上下三段に形成され、合計９個の植栽ポット４が設けられている。
当然ながら、植栽ポット４の数は、これに限定されない。
植栽ポット４を孔にした場合には、起立部２の背面側に栽頭円錐形の周壁のみを背面側に突出するような形状も採用できる。
【００１１】
＜４＞導水突起
上記した左右に並ぶ植栽ポット４同士の間で、植栽基盤１を起立したとき、その一段目と二段目との間、及び二段目と三段目との間であって、隣り合う植栽ポット４の間に、導水突起１０が起立部２の背面側に突出するよう突設されている。
導水突起１０は、左右半分づつが、左右の植栽ポット４・４へ傾斜するよう山形に形成されている。
導水突起１０を設ける位置は任意であって、給水部５の位置によっては、一段目の植栽ポット４の上にも設けることも可能である。
導水突起１０は、その下の植栽ポット４へ水を導くためのものであって、少なくとも水を導く植栽ポット４の中心よりも上方に位置する必要がある。
実施例では、一段目と二段目の植栽ポット４との間、及び二段目と三段目の植栽ポット４との間であって、起立部２の左右側端にも、起立部２の中央側へ傾斜する導水突起１１が設けられている。
【００１２】
＜５＞導水突片
植栽基盤１の背面には、前記植栽ポット４から、外周方向に伸びるとともに背面側へ突出する板状の導水突片１２を備える。
導水突片１２を設ける位置も任意であるが、実施例では、隣り合う植栽ポット４と向き合う側に、円筒状凹部である植栽ポット４の外周方向へ放射状に導水突片１２が二枚づつ形成されている。
前記した導水突起１０・１１若しくは導水突片１２は、その突出する高さＨが植栽基盤を起立したとき、その奥行きＬの３０％〜９０％である。
【００１３】
以下、以上のような植栽基盤１を使用した植栽方法について述べる。
＜６＞植栽基盤の収納
以上のような植栽基盤１を、合成樹脂繊維による不織布によって方形箱形に形成した植栽袋１３の中に収容する。（図５）
植栽袋１３は、水を透過する。
植栽袋１３は、裏面側に位置する蓋部１４が開き可能となっており、まず、この植栽袋１３に植栽基盤１を収納し、この植栽基盤１の背面側に植栽土１５を詰めて、後に述べる方形に箱形に組んだ植栽金網かご１８の中に収納する。
植栽土１５には肥料などを混入しておくことも可能である。
同じく植栽袋１３の表面側には、植栽基盤１の植栽ポット４の位置に対応した切り込み１６や孔が形成されており、植栽基盤１の植栽ポット４に、植栽土１５が付着した苗１７や、種子を混ぜた植栽土を収納する。
植栽する植物としては、ノシラン、ハイビャクシンなど、通常の様々な草花や樹木を植栽できる。
また、オオイタビ（プミラ）などのつる植物の植栽も可能である。
【００１４】
＜７＞壁への組付け
植栽袋１３の中に収納した植栽基盤１の背面側に植栽土１５を詰めて、方形に箱形に組んだ植栽金網かご１８の中に収納し、その上に線材を縦横に組んだ植栽金網かご１８の蓋２１を被せて、結束線などによって固定する。
この植栽金網かご１８を、建造物の壁１９などに、アンカー２０などによって固定する。（図６、図７）
各植栽基盤１の上には、水を供給するための給水パイプ２２に設けた給水口２３を配置する。
【００１５】
＜８＞植物の育成
給水パイプ２２の給水口２３から、各植栽基盤１に水を供給する。
水は植栽袋１３の天端に設けた孔又は切欠き状の通水口２５を通過し、植栽基盤１の給水部５を通り抜け、植栽基盤１の背面側の植栽土１５に浸透していく。
供給された水は、図２の矢印によって示す経路を流れ落ち、植栽ポット４の間に流れ落ちようとする水を植栽ポット４側に流れさせ、各植栽ポット４内及び植栽土１５に遍りなく水を分け与える。
植物が生育すると、図７に示すように、根が植栽ポット４の底部７の孔８やスリット９を抜けて、植栽基盤１背面側に詰めた植栽土１５にも根付くことになる。
再生紙で形成した植栽基盤１は、経年変化によって腐食して植栽土１５に混ざり込むことになる。
【００１６】
＜９＞型抜き成形
以上の実施例では、植栽基盤１は型抜きプレス可能して製造したもので、起立部２に対し、囲み板３は直角に背面側に伸びるのではなく、若干の鈍角を成し、テーパ状に背面側に伸びている。
その他、植栽ポット４も栽頭円錐形状というように周壁６が起立部２に対しテーパ状に成形されており、導水突起１０・１１及び導水突片１２も、起立部２側に近づくほどその厚みが細くなるようテーパ状を成している。
【実施例２】
【００１７】
図８に示すのは、他の植栽基盤１を示すもので、植栽基盤１の左右両端に位置する植栽ポット４の植栽基盤１外周側には、導水突片１２が形成されていない。
【図面の簡単な説明】
【００１８】
【図１】本発明にかかる植栽基盤の斜視図
【図２】図１の植栽基盤の正面図
【図３】植栽基盤の断面図
【図４】植栽基盤の平面図
【図５】植栽袋と植栽金網かごの中に収納した植栽基盤の一部切欠き斜視図
【図６】壁に組み付けた植栽基盤の断面図
【図７】図６の一部断面図
【図８】他の植栽基盤の実施例の正面図
【符号の説明】
【００１９】
１：植栽基盤
２：起立部
３：囲み板
４：植栽ポット
５：給水部
６：周壁
７：底部
８：孔
９：スリット
１０：導水突起
１１：導水突起
１２：導水突片
１３：植栽袋
１４：蓋部
１５：植栽土
１６：切込み
１７：苗
１８：植栽金網かご
１９：壁
２０：アンカー
２１：植栽金網かごの蓋
２２：給水パイプ
２３：給水口
２５：通水口
【図１】
2010148393.tif 000003
【図２】
2010148393.tif 000004
【図３】
2010148393.tif 000005
【図４】
2010148393.tif 000006
【図５】
2010148393.tif 000007
【図６】
2010148393.tif 000008
【図７】
2010148393.tif 000009
【図８】
2010148393.tif 000010